(57)【特許請求の範囲】
【請求項１】
扉（４）の側板部（６）に挟んで取付けられる電気機器収納用箱（１）の扉垂下防止部材であって、前記電気機器収納用箱（１）の枠部（３）と前記扉（４）との隙間（１５）が小さい場合に前記扉（４）の前記側板部（６）の外面になる方向で取付ける板厚の薄い第１板部（９）と、前記電気機器収納用箱（１）の前記枠部（３）と前記扉（４）との前記隙間（１５）が大きい場合に前記扉（４）の前記側板部（６）の外面になる方向で取付ける板厚の厚い第２板部（１０）とを垂直板部（１１）を介して一体に形成して、前記枠部（３）と前記扉（４）との前記隙間（１５）に、板厚の薄い前記第１板部（９）若しくは板厚の厚い前記第２板部（１０）を選択して取り付け可能とし、前記第１板部（９）と前記第２板部（１０）のうち、どちらか一方の先端を延設して誘い込み部（１４）としたことを特徴とする電気機器収納用箱の扉垂下防止部材。
【発明の詳細な説明】
【０００１】
【発明の属する技術分野】
本発明は電気機器収納用箱体の前面の枠部と扉との隙間を一定に保つ、扉垂下防止部材に関するものである。
【０００２】
【従来の技術】
従来、図６、図７に示すように、配電盤、制御盤等の電気機器収納用箱体２０で、前面の枠部２１内に扉２２を配置したものは、扉の一側に蝶番を設けて開閉自在としているが、閉状態のときに枠部２１と扉２２との隙間を一定に保ち見栄えが良いものとし、また、開閉の際に扉２２の自重により他側が垂下して枠部２１に当たって擦れないように、扉２２の他側の上部と下部の折り曲げ片２４に略コ字状の扉垂下防止部材２３を取り付けていた。しかしながら、電気機器収納用箱体の枠部と扉との隙間は、箱体の大きさなどによって異なってくるので、箱体のサイズに対応させて、扉垂下防止部材も用意しなければならず、また、部品管理も煩雑であった。
【０００３】
【発明が解決しようとする課題】
本発明は、上記の問題点を解決するためになされたものであり、複数のサイズの電気機器収納用箱体に対応できる扉垂下防止部材を提供するためになされたものである。
【０００４】
【課題を解決するための手段】
上記の問題を解決した本発明の扉垂下防止部材は、扉（４）の側板部（６）に挟んで取付けられる電気機器収納用箱（１）の扉垂下防止部材であって、前記電気機器収納用箱（１）の枠部（３）と前記扉（４）との隙間（１５）が小さい場合に前記扉（４）の前記側板部（６）の外面になる方向で取付ける板厚の薄い第１板部（９）と、前記電気機器収納用箱（１）の前記枠部（３）と前記扉（４）との前記隙間（１５）が大きい場合に前記扉（４）の前記側板部（６）の外面になる方向で取付ける板厚の厚い第２板部（１０）とを垂直板部（１１）を介して一体に形成して、前記枠部（３）と前記扉（４）との前記隙間（１５）に、板厚の薄い前記第１板部（９）若しくは板厚の厚い前記第２板部（１０）を選択して取り付け可能とし、前記第１板部（９）と前記第２板部（１０）のうち、どちらか一方の先端を延設して誘い込み部（１４）としたことを特徴とするものである。
【０００５】
【発明の実施の形態】
次に、図1から図５を参照して本発明の実施形態について説明する。
電気機器収納用箱１の箱本体２の前面には枠部３が取り付けられており、この枠部３には、一側に蝶番が設けられるとともに他側に扉係止部材であるハンドルが設けられている開閉自在の扉４が収まっている。この扉４は前面板部５と側板部６とからなり、扉４の上下側板部６、６の他側端部には、取付孔７、７が設けられ、扉垂下防止部材８、８が取り付けられている。第1の実施形態を示す図２から図４のように、扉垂下防止部材８はゴム、プラスチック等の弾性変形体で、上面に位置固定用の円柱状の突起１３が突設させるとともに、先端に誘い込み部１４を延設している第１板部９と第２板部１０とが垂直板部１１を介して一体となって断面略コ字状に形成されており、第１板部９と第２板部１０との内面間には扉４の側板部６に嵌めるためのスリット１２が備わっている。第１板部９の板厚は第２板部１０の板厚とは異なるものとしてあり、この実施形態では第１板部９の板厚は薄く、第２板部１０の板厚は厚く構成している。なお、第１板部９と第２板部１０の片方若しくは両方の外面に突起を設けたものとしておけば、取付時の目印となり、作業性が向上するが、この場合でも、ここでいう板厚とは板部と突起の全体の長さをいうものである。また、扉垂下防止部材８の垂直板部１１は扉４を閉めた際に枠部３の段部に当接し戸当りとして作用するが、この他に垂直板部に弾性片を設けて緩衝部としてしてもよいし、突起を設けて一部が当接するようにしてもよい。また、誘い込み部１４は第１板部９と第２板部１０のどちらかに設ければよい。
【０００６】
このように構成された第1の実施形態では、電気機器収納用箱１のサイズが小型の場合に図３に示すように枠部３と扉４との隙間１５は小さいものとなる。そこで、扉垂下防止部材８の板厚の薄い第１板部９が扉4の側板部６の外面になる方向で、扉垂下防止部材８の第１板部９の先端の誘い込み部１４を扉4の側板部６の端部に当てると位置決めとなり、さらに力を加えると位置固定用の円柱状の突起１３が扉4の側板部６を乗り越え、扉垂下防止部材８が弾性変形し、突起１３が側板部６の取付孔７に嵌まり込み、弾性変形が定常状態に戻り位置決めされる。そうすると、第１板部９が枠部３と扉４との隙間１５を一定にして扉４の他側が垂下する恐れがない。
【０００７】
また、電気機器収納用箱１のサイズが大型の場合には図４に示すように枠部３と扉４との隙間１５は大きいものとなる。そこで前述したとは逆に、扉垂下防止部材８の板厚の厚い第２板部１０が扉4の側板部６の外面になる方向で取付ければ、同様に第２板部１０が枠部３と扉４との隙間１５を一定にして扉４の他側が垂下する恐れがない。さらに電気機器収納用箱１のサイズが中型の場合には、側板部６の外面になるのが一方では板厚の厚い第２板部１０、もう一方では板厚の薄い第１板部９としておけば対応可能である。
【０００８】
次に第２の実施例を図５を用いて説明する。
この実施形態の扉垂下防止部材８は扉４の前面板部５方向から見て断面略エ字状をしているもので、前記実施形態と同様に、板厚の違う第１板部９と第２板部１０とが垂直板部１１を介して一体となっているが、前記実施形態は扉垂下防止部材８のスリット１２に扉４の側板部６を嵌め込むものに対して、この実施形態では扉４の側板部６のスリット状の取付孔７に扉垂下防止部材８の垂直板部１１を嵌め込む構成になっている。
【０００９】
以上のように構成した本発明の扉垂下防止部材８は扉４の側板部６を挟む二つの第１板部９と第２板部１０の板厚を異ならせたので、サイズの違う電気機器収納用箱に対応でき、部品管理の面においても優れているものである。また、第１板部９と第２板部１０のどちらか一方の先端に誘い込み部１４を設けておけば、取付時の作業性が向上するものである。
【００１０】
【発明の効果】
以上に説明したように、本発明の扉垂下防止部材８はサイズの違う電気機器収納用箱に対応でき、部品管理の面においても優れているものである。
従って、従来の電気機器収納用箱の扉垂下防止部材の問題点を解決したものとして業界にもたらす益大なものである。
【図面の簡単な説明】
【図１】本発明の扉垂下防止部材取り付け場所を示す説明図である。
【図２】本発明の第1の実施形態の扉垂下防止部材を示す拡大説明図である。
【図３】本発明の第1の実施形態の扉垂下防止部材を扉の側板部に嵌め込んだ状態を示す断面図である。
【図４】本発明の第1の実施形態の扉垂下防止部材を取付け状態を異にして扉の側板部に嵌め込んだ状態を示す断面図である。
【図５】本発明の第２の実施形態の扉垂下防止部材を示す拡大説明図である。
【図６】扉垂下防止部材取り付け場所を示す説明図である。
【図７】従来の扉垂下防止部材を示す拡大説明図である。
【符号の説明】
３    枠部
４    扉
８    扉垂下防止部材
９    第１板部
１０  第２板部
１４  誘い込み部
【図１】
0004504472.tif 000002
【図２】
0004504472.tif 000003
【図３】
0004504472.tif 000004
【図４】
0004504472.tif 000005
【図５】
0004504472.tif 000006
【図６】
0004504472.tif 000007
【図７】
0004504472.tif 000008